(57)【特許請求の範囲】
【請求項１】
本体に紐挿通用貫通孔を有し、該貫通孔の一端開口から他端開口へ挿通された紐を引き抜き方向の力に抗して係止可能な紐留め具と、前記他方開口から引き出されて外へ延びている紐の自由端に取り付けられ、紐が前記貫通孔から不用意に引き抜かれないようにするストッパーとからなっていて、
前記紐留め具及び前記ストッパーは、係脱可能な係止部及び係合部の一方をそれぞれ有して、当該係止部及び係合部を介し連結され、
前記ストッパーは、ヒンジ部を介し折り曲げられて重ねられる一対の挟持半体からなり、該挟持半体同士の間に前記紐の自由端を挟み込んで係止し、かつ挟持半体同士が重ねられた状態で結合一体化されるとともに、前記紐留め具側の係止部又は係合部に対して、前記係合部又は係止部を前記各挟持半体に形成しており、何れの挟持半体側でも連結されるようになっている、ことを特徴とする紐留め用バックル。
【発明の詳細な説明】
【０００１】
【発明の属する技術分野】
本発明は、例えば、衣服又は袋体等に配置される引帯や引紐、或いはコード紐やロープ紐（本明細書ではこれらを総称して紐という）の引出量や締め付け度合いを調整するような場合に用いられて、調整機能を受け持つ紐留め具及び紐の不用意な抜けを防ぐストッパーを対に有した紐留め用バックルに関する。
【０００２】
【従来の技術】
図１０は従来の紐留め具の使用例を示している。同図の紐留め具４５は、同（ａ）に示される如く衣服４０の首周りや胴回りに配置されて、穴４０ａから外部へ導出された紐４１の両側の導出部分４１ａに取り付けられて、紐４１の締め付け度合、つまり導出部分４１ａを任意の長さに調整すると共に、調整後に導出部分４１ａが再び衣服側に引かれないよう引き抜き方向の力に抗して係止するものである。構造としては、例えば、貫通孔４６ａ付きの有底筒状本体４６と、本体４６内に一部を出没可能に組み込まれて別体又は一体に設けられたバネ部により突出方向へ付勢された貫通孔付きのロック部材４７とからなる。そして、ロック部材４７をバネ部の付勢力に抗して本体４６内に押し、本体４６とロック部材４７の両貫通孔を合わせた状態から紐４１の対応端を両貫通孔に挿通させる（紐解除位置）。その後、ロック部材４７は、押圧力が解放されると、バネ部により突出状態になり、ロック部材４７側の貫通孔も本体４６の貫通孔４６ａに対し相対的な位置がずれて紐４１を所定のテンションにて抜け止めする（紐係止位置）。
【０００３】
以上の紐留め具４５において、導出部分４１ａの抜け止め力は、ロック部材４７を突出方向へ付勢しているバネ部の付勢圧に比例して増大可能である。ところが、バネ部の付勢圧を大きくして抜け止め力を余り強く設定すると、ロック部材４７を押して紐解除位置へ切り換えるときも強い力が必要となり、使い勝手が悪くなる。そこで、従来は、図１０（ｂ）に示す如く紐留め具４５の貫通孔４６ａから外へ引き出された導出部分４１ａの自由端側に結び目４１ｃを作ったり、同（ｃ）に示す如く導出部分４１ａの自由端にストッパー４８を取り付けることにより、導出部分４１ａが引き戻し方向へ強く引っ張られても、結び目４１ｃやストッパー４８によって紐留め具４５から不用意に外れないようにしている。なお、このストッパー４８は、片側端面に穴４８ａを持つ有底筒状からなり、導出部分４１ａの自由端を穴４８ａから筒内に入れると共に、該自由端に抜け止め用結び目や金具等で径大部分を形成し取り付けられる。
【０００４】
【発明が解決しようとする課題】
上記した従来構造では、紐留め具４５が結び目４１ｃ又はストッパー４８の何れかがないと、紐４１から不用意に抜け落ちる虞があり品質上、充分満足できない。ところが、結び目４１ｃやストッパー４８を導出部分４１ａの自由端に取り付けると、次のような新たな問題が発生する。すなわち、導出部分４１ａは、紐４１の締め付け度合いに応じて長くなり、結び目４１ｃ又はストッパー４８が紐留め具４５を支点として振り子のように揺れて、違和感を与えることである。このような問題は、例えば、導出部分４１ａが約１０ｃｍ以上になると、人の動きに伴って結び目４１ｃ又はストッパー４８の揺動も大きくなって、違和感にとどまらず、邪魔になったり、顔等に当たるという虞もある。また、従来のストッパー４８は、結び目４１ｃよりも外観的に好ましいと言えるが、導出部分４１ａの自由端を穴４８ａから筒内に入れて、抜け止め用の結び目や径大部分を形成しなくてはならず、取付作業性が悪いという問題もある。
【０００５】
本発明は、紐留め具とストッパーとを組として用いる場合の上記問題を解消するため開発されたものである。第１の目的は、紐留め具から引き出されて外へ延びている紐の導出部分が長くなっても、紐の導出部分及びストッパーが邪魔になることなく、使い勝手及び外観処理的に優れた紐留め用バックルを実現することにある。第２の目的は、ストッパー構造を改良して紐導出部分の自由端への取付操作性を向上し、扁平小型化も図り易くすることにある。他の目的は以下の内容説明の中で明らかにする。
【０００６】
【課題を解決するための手段】
上記目的を達成するために、本発明に係る紐留め用バックルは、図１〜図９に例示される如く、本体に紐挿通用貫通孔を有し、該貫通孔の一端開口から他端開口へ挿通された紐を引き抜き方向の力に抗して係止可能な紐留め具と、前記他方開口から引き出されて外へ延びている紐の自由端に取り付けられ、紐が前記貫通孔から不用意に引き抜かれないようにするストッパーとからなっていて、前記紐留め具及び前記ストッパーは、係脱可能な係止部及び係合部の一方をそれぞれ有して、当該係止部及び係合部を介し連結され、前記ストッパーは、ヒンジ部を介し折り曲げられて重ねられる一対の挟持半体からなり、該挟持半体同士の間に前記紐の自由端を挟み込んで係止し、かつ挟持半体同士が重ねられた状態で結合一体化されるとともに、前記紐留め具側の係止部又は係合部に対して、前記係合部又は係止部を前記各挟持半体に形成しており、何れの挟持半体側でも連結されるようになっていることを特徴としている。
以上の紐留め用バックルは、紐留め具とストッパーとが組として構成され、例えば、紐留め具から外へ引き出された紐の導出部分が長くなる場合、ストッパーが紐留め具に対し係止部及び係合部を介し連結操作される。なお、係止部及び係合部は、通常、紐留め具の本体及びストッパーの対応する外端面に設けられて、例えば、紐留め具本体の係止部にストッパー部材の係合部を係合操作することになる。この連結状態では、紐留め具から外へ引き出された紐の導出部分が、紐留め具本体の貫通孔と、本体に連結されたストッパーとの間でループ状に配置されることから、長さが略半分となって紐の導出部分及びストッパーの揺動を有効に阻止する。すなわち、本発明は、従来の如く紐の導出部分及びストッパーに起因して違和感を与えたり、邪魔になったり、顔等に当たるという虞を合理的に解消することができる。また、紐導出部分は、ストッパーが紐留め具に連結されると、ループを形成して長さ的に半分となって、外観的にも改良される。このような本発明は、紐留め具とストッパーを別々に設計していた従来手法に対し、設計段階から着脱可能に連結して一体化するようにし、使用時にはあたかも一体品の外観を得ることを前提としている。
【０００７】
また、前記ストッパーは、ヒンジ部を介し折り曲げられて重ねられる一対の挟持半体からなり、該挟持半体同士の間に前記紐の自由端を挟み込んで係止し、かつ挟持半体同士が重ねられた状態で結合一体化される構成である。この構造では、紐留め具の他方開口から引き出されて外へ延びている紐の自由端を、両挟持半体の間に配置した後、両挟持半体同士を重ねることにより、ストッパーがワンタッチで取り付けられる。このため、ストッパーとしては、紐への取付操作性に優れていると共に、外観が主に２つの挟持半体にて形成されるため扁平でシンプルな形態にし易くなる。なお、紐の自由端は、挟持半体同士の間に挟み込まれるため紐の端末処理を簡略化することができる。
しかも、前記ストッパーは、前記留め具本体側の係止部又は係合部に対して、前記係合部又は係止部を各挟持半体に形成しており、何れの挟持半体側でも連結されるようになっている構成である。この構造では、ストッパーが紐留め具に対し任意の挟持半体側にて連結されるため、例えば、紐留め具の他方開口から引き出されて紐の向き等に応じてストッパーを取り付ける向き（紐留め具に両挟持半体のどちらの側を取付るか）を選択可能となり、使い勝手を向上できる。
【０００８】
【発明の実施の形態】
以下、本発明の実施形態を図面に基づいて説明する。この形態例は、本発明の好適な具体例であり、本発明の技術的範囲を制約するものではない。図１乃至図７は第１形態に係る紐留め用バックルを示している。このうち、図１は紐留め用バックルの使用時の拡大図であり、同（ａ）は図２の拡大部の断面を、同（ｂ）はストッパーを主体にした側面を示している。図２は本発明品を衣服に用いた使用例を示す説明用模式図、図３は前記バックルを構成している紐留め具例であり、同（ａ）は紐を通していない状態での上面図、同（ｂ）は側面の半断面図である。図４はストッパーの外観斜視図、図５はその正面図、図６はストッパーの詳細図であり、同（ａ）は背面図、同（ｂ）は図５のＢ矢印方向から見た側面図、同（ｃ）は図５のＡ−Ａ線断面図である。図７（ａ），（ｂ），（ｃ）は前記ストッパーを成形時の状態にて示す上面と側面及び断面図である。
【０００９】
第１形態の紐留め用バックル１は、係脱可能に連結される紐留め具１０及びストッパー２０から構成されている。材質的には、何れもが樹脂成形品からなっているが、他の材質であっても差し支えない。全体の大きさは、作図上拡大しているが、例えば、一般的な衣服の紐に用いられるケースの場合、紐留め具１０が約２０〜４０ｍｍ程度の長さ、ストッパー２０が外径約１５〜２５ｍｍ、厚さ６〜１５ｍｍ程度の小さなものである。
【００１０】
紐留め具１０は、図２に例示される如く衣服４０の首周りや胴回りに配置されて、衣服側の穴４０ａから外部へ導出された紐４１の両側の導出部分４１ａに取り付けられて、紐４１の締め付け度合、つまり導出部分４１ａを任意の長さに調整すると共に、調整後に導出部分４１ａが再び衣服側に引かれないよう引き抜き方向の力に抗して係止するものである。このような基本作動は公知のものと同じであるが、本発明の紐留め具１０はストッパー２０と対に設計され、ストッパー２０に連結される点で従来品と相違している。すなわち、この紐留め具１０は、図３に示される如く本体１１及びロック部材１３からなる。本体１１は有底筒状をなし、筒径方向に貫通した貫通孔１１ａと、筒内にあって貫通孔１１ａの下から筒底側に向けて次第に張り出すテーパー部１１ｂと、筒底の外面側に設けられた係止部としての凹状部１２とを一体に有している。貫通孔１１ａは紐４１を遊挿可能な穴である。テーパー部１１ｂは、ロック部材１３の脚状バネ部１３ｃに対応して筒内の４箇所に形成されている。凹状部１２は、ストッパー２０の一部（後述する係合軸部２５，２４）を受け入れる箇所であり、凹状底面を外側に湾曲した係止受け部１２ａと、係止受け部１２ａの内周面に突出した複数の小突起１２ｂと、係止受け部１２ａの先端側から次第に径大となるテーパー部１２ｃとから構成されている。ロック部材１３は、貫通孔１１ａに対応する貫通孔１３ａと、貫通孔１３ａの下部径方向に突出されて本体１１の貫通孔１１ａ内に位置している片鍔状の規制部１３ｂと、この規制部１３ｂの端面側から突出された４つの脚状バネ部１３ｃとを一体に有している。
【００１１】
そして、通常は、ロック部材１３が図３の如く本体１１に対しテーパー部１１ｂ及び脚状バネ部１３ｃを介し突出方向へ一部押し出されている。この状態において、ロック部材１３は規制部１３ｂが本体１１の貫通孔１１ａの上縁に当たって、本体１１から不用意に外れないようになっている。また、紐４１との関係では、まず、ロック部材１３を脚状バネ部１３ｃの付勢力に抗し図３（ｂ）の矢印Ｆ方向つまり本体１１内に押し、本体１１とロック部材１３の両貫通孔１１ａ，１３ａをほぼ合わせた状態から紐４１の対応端である導出部分４１ａを両貫通孔１１ａ，１３ａに挿通させる（紐解除位置）。その後、ロック部材１３の押圧力が解放されると、ロック部材１３が脚状バネ部１３ｃにより突出状態になり、貫通孔１３ａが本体１１の貫通孔１１ａに対し相対的な位置がずれて紐４１を所定のテンションにて抜け止め（紐係止位置）することになる。
【００１２】
これに対し、ストッパー２０は、図１及び図７等の如く一対の挟持半体２１，２２が薄肉状のヒンジ部２３を介し連結され、両挟持半体２１，２２同士の間に紐４１の対応端を挟持可能になっている。すなわち、両挟持半体２１，２２は、図７の如く寸法の異なる略円筒状をなし、挟持半体２２が少し大きな挟持半体２１に重ねられると共に、各外端面が湾曲面２１ａ，２２ａに形成されて、該湾曲面２１ａ，２２ａの中央部に係合部である係合軸部２４，２５をそれぞれ突出形成している。各係合軸部２４，２５は、立ち上げ基部を若干径小にした略断面皿状をなし、前記したストッパー２０の凹状部１２を構成している係止受け部１２ａに対し小突起１２ｂを介しそれぞれ弾性的に係脱可能に連結される。この連結状態では、各挟持半体２１，２２の外端湾曲面２１ａ又は２２ａがテーパー部１２ｃに密接して、挟持半体２１又は２２と本体１１の凹状部１２とが一体の外観になるよう処理されている。図１と図２では、挟持半体２１側をストッパー２０に連結したものであるが、逆に挟持半体２２をストッパー２０に連結するようにしてもよい。
【００１３】
また、両挟持半体２１，２２は、図４及び図５等の如くヒンジ部２３と反対側の円筒部に一部を切り欠いた開口２６，２７と、内面側にそれぞれ突設した複数の爪２１ｂ，２２ｂと、係脱可能な係合部２８ａ及び係止部２８ｂとを有している。開口２６，２７は、両者で形成される隙間に紐４１の自由端を挿通可能な大きさである。爪２１ｂは挟持半体２１の中間線に沿って開口２６側に位置している。爪２２ｂは挟持半体２２の中間線の両側に沿って開口２７側に位置している。係合部２８ａは挟持半体２１の開口２６を区画している壁側に設けられると共に、係止部２８ｂは挟持半体２２の開口２７を区画している壁側に設けられている。符号２９は挟持半体２１の筒外面に設けられた複数の半球状の突部である。この突部２９は装飾及び補強を兼ねている。
【００１４】
以上のストッパー２０は、図２に示される如く衣服４０（袋や鞄類、他の紐付きの部材でもよい）の開口部或いは開口付近を絞めるために配置された紐４１の両端側に上記した紐留め具１０と共に取り付けられる。紐４１は、衣服４０の一部に設けられた穴４０ａから引き出されている。引き出された導出部分４１ａには、紐留め具１０が組み付けられた後、ストッパー２０が取り付けられる。すなわち、紐留め具１０は、上記した要領にて紐４１の対応端である導出部分４１ａに取り付けられる。ストッパー２０の取付要領は、両挟持半体２１，２２がヒンジ部２３を介し内側に折り曲げると共に、開口２６，２７の隙間に導出部分４１ａの自由端を差し入れた状態から、更に重ねられる方向に押される。すると、両挟持半体２１，２２は係合部２８ａと係止部２８ｂの係合を介しストッパー２０の製品形状となり、同時に複数の爪２１ｂ，２２ｂが導出部分４１ａの自由端側に上下から食い込む。ストッパー２０は、その爪２１ｂ，２２ｂの食い付きにより導出部分４１ａの自由端に取り付けられる。
【００１８】
このようにして、紐４１の導出部分４１ａに取り付けられた紐留め具１０とストッパー２０は、例えば、一方の手で紐留め具１０を押さえ、他方の手でストッパー２０を摘んで、その係合軸部２４又は２５を、紐留め具１０側の凹状部１２に押し込んで係合することにより連結される。連結状態では、図２の拡大部の如く紐留め具１０から外へ引き出された紐４１の導出部分４１ａが紐留め具１０の本体１１の貫通孔１１ａと、本体１１に連結されたストッパー２０の開口２６，２７との間でループ状に配置される。このため、この構造では、紐４１の導出部分４１ａの長さが略半分となり、導出部分４１ａ及びストッパー２０の揺動を防ぐことができる。
【００１９】
図８と図９は第２，第３形態に係る紐留め用バックルを示している。これらの紐留め用バックル２，３は、上記形態と同様な紐留め具１０又は１５と、ストッパー２０から構成されている。従って、以下の説明では構造的に同じ部材及び部位に同じ符号を付し、変更点だけを詳述する。
【００２０】
図８の紐留め用バックル２は、紐留め具１０が本体１１と本体１１に組み込まれてバネ部により一部突出する方向に付勢されたロック部材１３とから構成されている点で上記形態と同じ。本体１１の底面側には雌ねじ付きの穴１４が設けられている。そして、ストッパー２０は、その穴１４に対応して設けられた雄ねじ付きの係合軸３０を有しており、係合軸３０を穴１４にねじ込むことにより連結されるようにしたものである。この変形例としては、ストッパー２０側に穴１４を、紐留め具１０側に係合軸３０を設けることである。
【００２１】
これに対し、図９の紐留め用バックル３は、まず、紐留め具１５が上記形態と異なっている。すなわち、この紐留め具１５は、本出願人が先に開発したもの（特願平１０−３６４３４５号）で、本体１６と、本体１６に回動可能に組み付けられたロック部材１７とから構成されている。そして、ロック部材１７は、上側を支点として外側へ回動されると紐解除位置となり、紐４１の導出部分４１ａを本体１６に設けられた貫通孔１６ａに挿通可能となる。その導出部分４１ａは、ロック部材１７を本体１６側に回動することにより、貫通孔１６ａの紐受け面と、ロック部材１７の先端面との間に挟持され歯部等の喰い付き作用により係止される。なお、符号４２は衣服４０等に紐留め具１５を取り付けるための専用の帯状部材４２である。このように、本願発明の紐留め具は、上記第１，２形態以外にこのような構成であっても差し支えないものである。
【００２２】
また、図９の紐留め用バックル３は、紐留め具１５の本体１６とストッパー２０との連結構造が上記形態と異なっている。すなわち、本体１６の底面側には逆Ｔ形のレール部１８が一体に形成されている。そして、ストッパー２０は、そのレール部１８に対応して設けられた嵌合溝３１を有しており、レール部１８と嵌合溝３１との係合を介して連結される。この変形例としては、ストッパー２０側にレール部１８を、紐留め具１５側に嵌合溝３１を設けることもある。このように、本発明の紐留め具１０又は１５と、ストッパー２０とを連結する手段としては、公知の連結構造の中から適宜に選択することができるものである。
【００２３】
【発明の効果】
以上説明した通り、本発明の紐留め用バックルにあっては、例えば、紐留め具から外へ引き出された紐の導出部分が長くなる場合、ストッパーを紐留め具に係止部及び係合部を介し連結操作すると、紐留め具の本体から外へ引き出された紐の導出部分が本体に連結されたストッパーとの間でループ状に配置される。この結果、本発明では、紐の導出部分の長さを半分以下にして、紐の導出部分及びストッパーの揺動を効果的に阻止可能となり、従来の如く紐の導出部分及びストッパーに起因して違和感を与えたり、邪魔になったり、顔等に当たるという虞を確実に解消でき、見栄えも向上できる。
【図面の簡単な説明】
【図１】本発明の第１形態に係る紐留め用バックルの使用状態を示す断面図である。
【図２】上記紐留め用バックルの使用例を示す全体模式図である。
【図３】上記紐留め具の詳細図である。
【図４】上記ストッパーの外観図である。
【図５】上記ストッパーの正面図である。
【図６】上記ストッパーの詳細図である。
【図７】上記ストッパーを成形状態で示す図である。
【図８】本発明の第２形態に係る紐留め用バックルを示す外観図である。
【図９】本発明の第３形態に係る紐留め用バックルを示す外観図である。
【図１０】従来の問題を説明するための図である。
【符号の説明】
１，２，３は紐留め用バックル
１０，１５は紐留め具
１１，１６は紐留め具の本体
１１ａ，１６ａは本体の貫通孔
１２は凹状部（係止部）
１４は雌ねじ付きの穴（係止部）
１３，１７は紐留め具のロック部材
１８はレール部（係止部）
２０はストッパー
２１，２２は挟持半体
２３はヒンジ部
２４，２５は係合軸部（係合部）
３０は係合軸（係合部）
３１は嵌合溝（係合部）
【図１】
0004305693.tif 000002
【図２】
0004305693.tif 000003
【図３】
0004305693.tif 000004
【図４】
0004305693.tif 000005
【図５】
0004305693.tif 000006
【図６】
0004305693.tif 000007
【図７】
0004305693.tif 000008
【図８】
0004305693.tif 000009
【図９】
0004305693.tif 000010
【図１０】
0004305693.tif 000011